(57)【要約】【課題】沸騰時に蓋体を勢いよく閉めた時に吐出口から湯が流出することのない電気湯沸かし器を提供すること。【解決手段】液体２を収納する容器３と、前記容器内の液体２を加熱する加熱手段５と、前記容器の上方開口部を覆う蓋体６と、前記容器内の液体を送出する液送装置１４と、前記液送装置１４と連通し前記容器内の液体２を器体外に導く導出路１０と、前記容器の定格水量における液面より上方に位置する脱圧開口部９と、前記脱圧開口部と前記導出路を連通するバイパス経路１１とを備え、前記容器内の液面上部を導出路１０を経由して大気開放した構成とすることにより、蓋体６の急閉時に上昇する圧力が脱圧開口部９からバイパス経路１１を通って大気に逃げる構造となるため、液体２が沸騰中に蓋体６を勢いよく閉めたときに液体２が導出路１０から器体外に流出する事を防ぐ事ができる。【選択図】  図１
2004344277.tif 000002
【特許請求の範囲】
【請求項１】
液体を収納する容器と、前記容器内の液体を加熱する加熱手段と、前記容器の上方開口部を覆う蓋体と、前記容器内の液体を送出する液送装置と、前記液送装置と連通し前記容器内の液体を器体外に導く導出路と、前記容器の定格水量における液面より上方に位置する脱圧開口部と、前記脱圧開口部と前記導出路を連通するバイパス経路とを備え、前記容器内の液面上部を前記導出路側より大気開放した電気湯沸かし器。
【請求項２】
導出路の途中に設けた逆止弁ケースと、前記逆止弁ケース内部に設けられ本体が傾斜又は転倒時に液体が逆止弁ケースを通過するよりも早く導出路を閉口状態にする逆止弁とを備え、前記バイパス経路と前記導出路との連結部を逆止弁のシール部分よりも容器側に設ける請求項１記載の電気湯沸かし器。
【請求項３】
脱圧開口部を導出路に対して後方に設けた請求項１または２に記載の電気湯沸かし器。
【請求項４】
バイパス経路と導出路との連結部を脱圧開口部よりも下方に位置させた請求項１〜３のいずれか１項に記載の電気湯沸かし器。
【請求項５】
蓋体に設けられ容器内の蒸気を器体外に排出する蒸気排出路を備え、脱圧開口部及びバイパス経路の流路抵抗を前記蒸気排出路の流路抵抗の２倍以上にした請求項１〜４のいずれか１項に記載の電気湯沸かし器。
【請求項６】
バイパス経路と導出路の連結部に設けられ、出湯時に湯が導出路からバイパス経路に流れ込む事を妨げる流路制御リブを備えた請求項１〜５のいずれか１項に記載の電気湯沸かし器。
【請求項７】
バイパス経路の途中に設けられたバイパス制御ケースと、前記バイパス制御ケース内には導出路からバイパス経路を通って容器内に液体が流れ込むことを防止し、蒸気が容器からバイパス経路を通って導出路に流出することを防止するバイパス制御弁とを備えた請求項１〜６のいずれか１項に記載の電気湯沸かし器。
【請求項８】
液体を収納する容器と、前記容器内の液体を加熱する加熱手段と、前記容器の上方開口部を覆う蓋体と、前記容器内の液体を送出する液送装置と、前記容器内の液体が前記液送装置により導出された際に通る導出路と、前記容器の定格水量における液面より上方にあり蓋体以外に位置する脱圧開口部と、前記脱圧開口部と外界を連通する蒸気流出経路とを備えた電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来この種の電気湯沸かし器は、図７に示すようなものであった。以下に従来の電気湯沸かし器の構造を詳述する。図７において、１０１は外郭を構成するボデーで、液体１０２を収容する容器１０３を内包している。１０４はボデー１０１の上部に載置した注口で、中央開口部に容器１０３を載置している。１０５は液体１０２を加熱・保温する加熱手段で、容器１０３の底面部に固着している。
１０６は容器１０３の上方開口部を覆う蓋体、１１０は液体１０２を導出する液送装置、１１１は導出路である。蓋体１０６には全周にパッキンを装着した飾り枠１０６ａと、外郭を構成する外蓋１０６ｃと、飾り枠１０６ａと１０６ｃを係合し注口１０４に回動自在に係合するためのピン１０６ｅを設けた中蓋１０７で構成されている。中蓋１０７には蒸気口１０７ａを設け、蒸気排出路１０６ｂで外蓋１０６ｃに設けた蒸気出口１０６ｆとを接続している。さらに蒸気口１０７ａ下部には球体の流出防止弁１０８を設け側面は中蓋１０７で構成されたリブで下方を飾り枠１０６ａで覆われた構成を有していた。
【０００３】
上記構成の動作を説明する。器体を転倒させた場合、円錐状の流出防止弁１０８は転倒による器体上方への遠心力および自重により蒸気口１０７ａを閉塞し、これにより容器１０３内の液体１０２が蒸気排出路１０６ｂを通じて外蓋１０６ｃに設けた蒸気出口１０６ｆより流出することを防止している構成となっていた。
【０００４】
【特許文献１】
特開平０５−２９３０４４号公報
【０００５】
【発明が解決しようとする課題】
しかしながら、前記従来の構成では、湯の沸騰時に蓋体を勢いよく閉めたときにまれに弁に働く遠心力により流出防止弁１０８が閉まり、容器内圧力の逃げ場がなくなり容器内圧力が上昇し、湯が導出路から器体外に流出する場合があるという課題があった。
【０００６】
本発明は、前記従来の課題を解決するもので、沸騰時に蓋体を勢いよく閉めたときに導出路から器体外に湯が流出することのない電気湯沸かし器を提供することを目的とする。
【０００７】
【課題を解決するための手段】
前記従来の課題を解決するために、本発明の電気湯沸かし器は、液体を収納する容器と、前記容器内の液体を加熱する加熱手段と、前記容器の上方開口部を覆う蓋体と、前記容器内の液体を送出する液送装置と、前記液送装置と連通し前記容器内の液体を器体外に導く導出路と、前記容器の定格水量における液面より上方に位置する脱圧開口部と、前記脱圧開口部と前記導出路を連通するバイパス経路とを備え、前記容器内の液面上部を前記導出路側より大気開放する構成としたものである。これによって、沸騰時に蓋体を勢いよく閉めた時に蓋体の逆止弁が閉まった場合においても容器内圧力を器体外に逃がす事ができ、沸騰時に蓋体を勢いよく閉めたときに吐出口より湯が流出するのを防ぐ事ができる。
【０００８】
【発明の実施の形態】
請求項１に記載の発明は、液体を収納する容器と、前記容器内の液体を加熱する加熱手段と、前記容器の上方開口部を覆う蓋体と、前記容器内の液体を送出する液送装置と、前記液送装置と連通し、前記容器内の液体を器体外に導く導出路と、前記容器の定格水量における液面より上方に位置する脱圧開口部と、前記脱圧開口部と前記導出路を連通するバイパス経路とを備え、前記容器内の液面上部を前記導出路側より大気開放した構成とすることにより、沸騰時に蓋体を急閉した時に蓋体の逆止弁が閉まった場合においても容器内の圧力上昇を器体外に逃がす構成となり、沸騰時の蓋体急閉時に吐出口より湯が流出するのを防ぐ事ができる。
【０００９】
請求項２に記載の発明は、特に請求項１の発明において、導出路の途中に設けた逆止弁ケースと、前記逆止弁ケース内部に設けられ本体が傾斜又は転倒時に液体が逆止弁ケースを通過するよりも早く導出路を閉口状態にする逆止弁とを備え、前記バイパス経路と前記導出路との連結部を逆止弁のシール部分よりも容器側に設ける構成とすることにより、本体傾斜または転倒時に脱圧開口部からバイパス経路を通り流出する湯を止めることができる。
【００１０】
請求項３に記載の発明は、特に、請求項１または２の発明において脱圧開口部を導出路に対して後方に設ける事により、本体の傾斜対して容器内からバイパス経路を通って逆止弁ケースに湯が流出することを防ぐことができる。
【００１１】
請求項４に記載の発明は、特に、請求項１〜３のいずれか１項の発明において、バイパス経路と導出路との連結部を脱圧開口部よりも下方に位置させる事により、沸騰時に容器内の蒸気が脱圧開口部からバイパス経路と導出路の連結部への移動するのを妨げ、導出路から器体外に蒸気が出ることを抑制することができる。
【００１２】
請求項５に記載の発明は、特に、請求項１〜４のいずれか１項の発明において、蓋体に設けられ容器内の蒸気を器体外に排出する蒸気排出路とを備え、脱圧開口部及びバイパス経路の流路抵抗を前記蒸気排出路の流路抵抗の２倍以上にすることにより、沸騰時の蒸気が脱圧開口部よりも蒸気排出路を通るようになり、導出路から器体外に蒸気が出ることを抑制することができる。
【００１３】
請求項６に記載の発明は、特に、請求項１〜５のいずれか１項の発明において、バイパス経路と導出路の連結部に、出湯時に湯が導出路からバイパス経路に流れ込む事を妨げる流路制御リブを設けることによって、出湯時に湯が導出路からバイパス経路に流れ込む事を抑制することができ、出湯時のロスを低減することができる。
【００１４】
請求項７に記載の発明は、特に、請求項１〜６のいずれか１項の発明において、バイパス経路の途中に設けられたバイパス制御ケースと、バイパス制御ケース内には導出路からバイパス経路を通って容器内に液体が流れ込むことを防止し、蒸気が容器からバイパス経路を通って導出路に流出することを防止するバイパス制御弁とを設けることによって出湯時に導出路からバイパス経路を通って容器内に液体が流れ込むことを防止し、かつ、蒸気が容器からバイパス経路を通って導出路に流出することを防止することができる。
【００１５】
請求項８に記載の発明は、液体を収納する容器と、前記容器内の液体を加熱する加熱手段と、前記容器の上方開口部を覆う蓋体と、前記容器内の液体を送出する液送装置と、前記容器内の液体が前記液送装置により導出された際に通る導出路と、前記容器の定格水量における液面より上方にあり蓋体以外に位置する脱圧開口部と、前記脱圧開口部と器体外を連通する蒸気流出経路とを備えた構成とすることにより、蒸気口が蓋体以外の場所に存在するため、蓋体を勢いよく閉めたときに蒸気口の弁が閉まる事を防止することができる。
【００１６】
【実施例】
以下、本発明の実施例について、図１〜図６を参照しながら説明する。
【００１７】
（実施例１）
図１〜図３において、１は外郭を構成するボデーで、液体２を収容する容器３を内包している。４はボデー上部に載置した注口で、中央開口部に容器３を載置している。５は液体２を加熱・保温する加熱手段５で、容器３の底部に固着している。６は容器３の上面開口部を覆う蓋体６である。蓋体６には全周にパッキンを装着した飾り枠６ａと、外郭を構成する外蓋６ｃと、飾り枠６ａと外蓋６ｃを係合し注口４に回動自在に係合するためのピン６ｅを設けた中蓋７で構成されている。中蓋７には蒸気口７ａを設け、蒸気排出路６ｂで外蓋６ｃに設けた蒸気出口６ｆとを接続している。蒸気口７ａ下部には流出防止弁８を設け、流出防止弁８を蒸気口７ａとの所定位置を保つための弁カバー８ａを設けている。
【００１８】
また容器３には脱圧開口部９を設け、導出路１０とバイパス経路１１を経由して連通している。また、導出路１０の途中には、逆止弁ケース１２があり、逆止弁ケース内部には本体が傾斜又は転倒時に液体が逆止弁ケース１２を通過するよりも早く導出路１０を閉口状態にする逆止弁１２ａを設けている。
【００１９】
上記構成の動作を説明する。通常は容器３にある液体２が加熱手段５によって加熱され、液体２が高温になることで蒸気が発生する。発生した蒸気は飾り枠６ａの穴から蓋体６に浸入し、中蓋７の蒸気口７ａから蒸気排出路６ｂを通過し蒸気出口６ｆより大気に放出される。しかし、蒸気発生時に蓋体を急閉すると、図２に示すように、ピン６ｅを中心に放射状に発生した遠心力により蓋体６の流出防止弁８ａが蒸気口７ａを閉塞したままの状態になる事がある。従来の構造では蒸気発生による圧力上昇により流出防止弁８が閉塞状態を維持し、容器内圧力の上昇が原因となり導出路１０より湯が器体外に流出する場合があったが、本発明の構造では脱圧開口部９より蒸気が逃げるため、圧力の上昇はなく、流出防止弁８は自重により弁カバー８ａの所定の位置に戻る。したがって本発明により沸騰時に蓋体６を勢いよく閉めた時に湯が導出路１０から器体外に流出する事を防ぐことができる。
【００２０】
また、図１のようにバイパス経路１１と導出路１０の連結部を逆止弁１２ａのシール部分である逆止弁シール部１２ｃよりも容器側に設けることにより、本体が転倒もしくは傾斜時にバイパス経路１１を通して器体外に湯が流出する事を防ぐ事ができる。また、図１のように脱圧開口部９の位置をバイパス経路１１と導出路１０の連結部よりも上方に設けることで、容器３内の蒸気が脱圧開口部９からバイパス経路１１を通って導出路１０に流出するのを抑制し、かつ出湯時に湯が導出路１０からバイパス経路１１を通って容器３に流れ込むことを抑制することが出来る。また、バイパス経路１１の流路抵抗を蒸気排出路６ｂの流路抵抗の２倍以上にする事によっても同様の効果を得ることができる。
【００２１】
また、図３に示すように導出路１０とバイパス経路１１の連結部に出湯時の湯の流れ方向に沿った流路制御リブ１６を設けることで、湯の流れによる動圧がバイパス経路１１側にかかる事がなく、出湯時に湯が導出路１０からバイパス経路１１を通って容器３に流れ込むことを抑制することが出来る。
【００２２】
（実施例２）
図３は、本発明の第２の実施例の電気湯沸かし器の断面図である。図３に示すように、脱圧開口部９を導出路１０に対して後ろ側に設けている。この構成により本体が導出路１０側に傾斜した時に、容器３内の湯がバイパス経路１１に湯が流れ込む事を防ぐ事ができる。また、本体が導出路１０に対して後方に傾斜した時には導出路１０から湯が器体外に流出する事がないので、図３の構成により、バイパス経路１１を設けた事による傾斜流水性能ついて不利になることはない。
【００２３】
（実施例３）
図５は、本発明の第３の実施例の電気湯沸かし器の断面図である。図５に示すように、バイパス経路１１の途中に、バイパス制御ケース１３と、バイパス制御ケース１３内にバイパス制御弁１３ａを設けている。以下にその動作、作用を説明する。実施例１に示したように、容器３内で液体２が沸騰中に蓋体６を急閉すると、流出防止弁８が蒸気口７ａを閉塞し、容器３内の圧力が上昇する。しかし、すぐに圧力によりバイパス制御弁１３ａであるステンレス製の球体が移動し、容器３の液面上部が大気開放される。その結果、容器３内の圧力上昇が抑えられ、蓋体６の流出防止弁８が自重により所定の位置に戻るため、導出路１０から湯が器体外に流出する事を防ぐ事が出来る。
【００２４】
また、通常沸騰時は発生する蒸気が蓋体６の蒸気出口７ａより流出するため、容器３内の圧力は上昇せず、バイパス制御弁１３ａを持ち上げる事は無い。つまり、バイパス制御弁１３ａを設けることで沸騰時の蒸気がバイパス経路１１を通って導出路１０から器体外に流出するのを防ぐ事が出来る。また、出湯時にもバイパス制御弁１３ａであるステンレスの球体は自重によりバイパス経路１１を閉塞した状態となるため湯が導出路１０からバイパス経路１１を経由して容器３に戻ることを防ぐ事ができる。
【００２５】
（実施例４）
図６は、本発明の第４の実施例の電気湯沸かし器の断面図である。図６に示すように、脱圧開口部９を直接器体外に連通する。つまり、蒸気口７ａを蓋体６に設けないことにより、沸騰時に蓋体６を急閉した場合に容器３内が閉塞状態となることは無く、沸騰時の蓋体６を急閉した場合に導出路１０から湯が流出する事を防ぐ事が出来る。また、蓋体６に蒸気口７ａを設けなくてよいため、蓋体６の断熱性能を向上させることができ、保温電力を低減することができるため省エネ効果を得ることが出来る。
【００２６】
【発明の効果】
以上のように、本発明によれば、沸騰時に蓋体を急閉した際に湯が導出路から器体外に流出する事を防ぐ事ができる。
【図面の簡単な説明】
【図１】本発明の第１の実施例を示す電気湯沸かし器の概略断面図
【図２】本発明の第１の実施例に示す電気湯沸かし器の要部断面図
【図３】本発明の第１の実施例に示す電気湯沸かし器の概略断面図
【図４】本発明の第２の実施例に示す電気湯沸かし器の概略断面図
【図５】本発明の第３の実施例に示す電気湯沸かし器の概略断面図
【図６】本発明の第４の実施例に示す電気湯沸かし器の概略断面図
【図７】従来例を示す電気湯沸かし器の概略断面図
【符号の説明】
３  容器
５  加熱手段
６  蓋体
６ｂ  蒸気排出路
９  脱圧開口部
１０  導出路
１１  バイパス経路
１２  逆止弁ケース
１２ａ  逆止弁
１３  バイパス制御ケース
１３ａ  バイパス制御弁
１４  液送装置
１５  蒸気流出経路
１６  流路制御リブ
【図１】
2004344277.tif 000003
【図２】
2004344277.tif 000004
【図３】
2004344277.tif 000005
【図４】
2004344277.tif 000006
【図５】
2004344277.tif 000007
【図６】
2004344277.tif 000008
【図７】
2004344277.tif 000009